(57)【要約】      （修正有）【課題】供物台上板を持ち上げて他の場所に移動させることなく容易に納骨を行うことが可能な墓石を提供する。【解決手段】墓石本体の前面下方側に設置されて納骨用の収納空間およびこの収納空間に連通する開口を有する台石３と、台石３の上面側に配置されて台石３の開口を覆う供物台上板４とを備え、スライドレール５が、供物台上板４縁部の内側壁面と台石３の外側壁面とを連結し、墓石本体の前面に対する垂直方向に供物台上板４を摺動可能に構成されている。なお、墓石本体の下面に当接されてその墓石本体を支持する芝石１が、当該芝石１の前面上部になだらかな曲線状で墓石の前方側へ突設された張り出し部を有し、この張り出し部が、供物台上板４の墓石本体側端部と重なるように形成されているため、雨水などの納骨箇所への侵入を防止することができる。【選択図】図１２
0003144184.tif 000002
【実用新案登録請求の範囲】
【請求項１】
墓石本体の前面下方側に設置されて納骨用の収納空間および該収納空間に連通する開口を有する台石と、
前記台石の上方側に配置されて前記開口を覆う供物台上板と、
前記墓石本体の前面に対する垂直方向に前記供物台上板をスライド移動させるスライド移動手段と、
を備え、
前記供物台上板は、前記台石の外側壁面と対向する位置に突出する縁部を有し、
前記スライド移動手段は、前記縁部の内側壁面と前記台石の外側壁面とを連結する位置に配設されていることを特徴とする墓石。
【請求項２】
前記スライド移動手段は、チャンネル状の３つのレールの相互間にボールベアリングを組み合わせた３メンバーのスライドレールであることを特徴とする請求項１に記載の墓石。
【請求項３】
前記墓石本体の下面に当接されて該墓石本体を支持する芝石を備え、
前記芝石は、前記供物台上板の上方側の位置で当該墓石の前方側に突設される張り出し部を有し、該張り出し部が前記供物台上板の墓石本体側端部と重なるように形成されていることを特徴とする請求項１または請求項２に記載の墓石。
【請求項４】
前記供物台上板は、前記台石の前面内側に当接することで前記スライド手段による移動距離を規制する突起部を下面側に有し、
前記突起部における前記台石の前面内側への接触側部分には、弾性部材が張り付けられていることを特徴とする請求項１ないし請求項３のいずれかに記載の墓石。
【考案の詳細な説明】
【技術分野】
【０００１】
本考案は、納骨用の収納空間を有する墓石に関する。
【背景技術】
【０００２】
従来より、墓石本体の前面側に設置された供物台の内側に納骨用の収納空間を設け、その供物台の上板（供物台上板）を持ち上げて他の場所へ移動させることによって、開放された収納空間に納骨することが可能となるように構成されている墓石が知られている（例えば、特許文献１参照）。
【特許文献１】特開２００７−２９１６１９号公報
【考案の開示】
【考案が解決しようとする課題】
【０００３】
しかし、従来の墓石では、供物台上板が一般的に重量物である石材からなるため、その石材の種類やサイズ及び形状によっては成人男性でもその移動が困難であったり、移動時における石材の損傷や作業者の怪我などが懸念されたりするという問題があった。
【０００４】
さらに、宗旨や宗派によっては納骨儀式の際、供物台上板の上面に骨箱，供物，仏具などを置いて墓前供養を行い、その後に納骨作業を行うことがあり、この場合、納骨時に供物台上板上の物品を他の場所へ移動させて納骨後に供物などを供物台上板上に戻す必要があり手間がかかるという問題があった。
【０００５】
本考案は、上記問題点を解決するために、供物台上板を持ち上げて他の場所に移動させることなく容易に納骨を行うことが可能な墓石を提供することを目的とする。
【課題を解決するための手段】
【０００６】
上記目的を達成するためになされた請求項１に記載の墓石は、台石が、墓石本体の前面下方側に設置されて納骨用の収納空間およびこの収納空間に連通する開口を有し、供物台上板が、台石の上面側に配置されて台石の開口を覆い、さらに、スライド移動手段が、墓石本体の前面に対する垂直方向に供物台上板をスライド移動させるように構成されている。
【０００７】
なお、供物台上板は、台石の外側壁面と対向する位置に突出する縁部を有し、スライド移動手段は、縁部の内側壁面と台石の外側壁面とを連結する位置に配設されている。
したがって、本考案の墓石によれば、供物台上板を持ち上げて他の場所に移動させることなく容易に納骨を行うことができる。
【０００８】
そして、スライド移動手段は、請求項２に記載のように、チャンネル状の３つのレールの相互間にボールベアリングを組み合わせた３メンバーのスライドレールであることが望ましい。
【０００９】
この場合、スライドレールが３段階に伸縮可能であるため、納骨作業に応じた広さで収納空間を開閉することができる。
また、墓石は、請求項３に記載のように、墓石本体の下面に当接されてその墓石本体を支持する芝石が、供物台上板の上方側の位置で当該墓石の前方側に突設される張り出し部を有し、その張り出し部が、供物台上板の墓石本体側端部と重なるように形成されていることが望ましい。
【００１０】
このように構成された墓石によれば、平常時には、供物台上板が張り出し部の下方内側に位置するため、雨水などの納骨箇所への侵入を防止することができる。
さらに、供物台上板は、請求項４に記載のように、台石の前面内側に当接することでスライド手段による移動距離を規制する突起部を下面側に有し、その突起部における台石の前面内側への接触側部分には、弾性部材が張り付けられていることが望ましい。
【００１１】
このように構成された墓石によれば、供物台上板がスライド移動することによって、台石から離脱または落下してしまうことを防ぐと共に、突起部に張り付けられた弾性部材によって、供物台上板と台石との衝突を緩和することができる。
【考案を実施するための最良の形態】
【００１２】
以下に、本考案の実施形態を図面と共に説明する。
＜墓石要部の構成＞
図１〜図３は、本考案が適用された墓石における要部の構成を示す平面図，正面図，及び側面図であり、図８は、図１におけるＡ−Ａ断面図、図９は、図２におけるＢ−Ｂ断面図、図１３は、墓石全体を示す全体図である。
【００１３】
図１〜図３、図８，図９，及び図１３に示すように、本実施形態の墓石は、石材からなる墓石であって、概ね直方体である形状の芝石１と、平面視で概ねコの字型形状（詳しくは図５参照）を有する台石３と、平面視で概ね四角型の形状を有する供物台上板４とを備えている。
【００１４】
なお、芝石１は、墓石本体を支持するためのものであり、当該芝石１の前面上部になだらかな曲線状で墓石の前方側へ張り出す張り出し部２を有し、その張り出し部２が、供物台上板４の上面よりわずか上方側に位置し、芝石１が供物台上板４の墓石本体側端部と重なるように形成されている。また、台石３は、墓石本体の前面下部の中央部分に設置されて、その両側端面（つまり、コの字型形状における突出面）が芝石１の前面下部に当接して固着されることにより、納骨用の収納空間を形成している。
【００１５】
供物台上板４は、図４に示すように、その内部が所定幅，所定深さでくり抜かれて、その縁部が底面視で概ねコの字型に突出する形状を有しており、そのくり抜かれた部分（くり抜き部分）が下向きとなるように台石３の上方側に配置されている。
【００１６】
また、供物台上板４は、図１０に示すように、その縁部の内側壁面がスライドレール５を介して台石３の外側壁面に摺動可能（つまり、スライド移動するよう）に連結されており、図８及び図９に示すように、そのくり抜き部分における芝石１側の位置で下方側に突設されたストッパー６（突起部に相当）を有している。
【００１７】
なお、ストッパー６は、台石３の前面内側に接触可能な大きさに形成され、供物台上板４との取付部分に設けられた金属塊と、その金属塊における台石３の前面内側への接触側部分に張り付けられたゴム板（弾性部材に相当）とからなる。
【００１８】
スライドレール５は、図６及び図７に示すように、細長板の上下を折曲してなるステンレス製且つチャンネル状の３つのレールと、上下２列ずつ配設された鋼球（ボールベアリング）１２とを組み合わせた組み立て構造によるボールベアリング式（ダブルスライド式）の三段伸縮タイプ（３メンバー）のものが採用されている。
【００１９】
このうち、チャンネル状の３つのレールは、台石３の外側壁面に固設されるアウターチャンネル（以下、外レールという）１０と、供物台上板４縁部の内側壁面に固設されるインナーチャンネル（以下、内レールという）１４と、外レール１０と内レール１４との間に設けられて外レール１０と内レール１４とが背中合わせに重ね合わされた形状を有するインターチャンネル（以下、中レール１３という）とからなる。
【００２０】
なお、外レール１０及び内レール１４の石材への取付は、石材の所定位置，所定深さに穿設されている孔内に雌ネジを有するアダプターを挿入固定し、その雌ネジの位置と、外レール１０及び内レール１４に予め穿設されている孔の位置とを合わせて雄ネジで螺着される。
【００２１】
また、ボールベアリング１２は、外レール１０及び中レール１３の内側にそれぞれに設けられたボールリテーナ１１によって保持されており、外レール１０，内レール１４，及び中レール１３にそれぞれ当接されている。
【００２２】
つまり、スライドレール５は、外レール１０に対して中レール１３がスライドし、この中レール１３に対して内レール１４がスライドすることによって、三段階にレール全体の長さ（レール長さ）が可変となり、そのレール長さが最小であるときに納骨用の収納空間が供物台上板４により完全に覆われるように取り付けられている。
【００２３】
＜納骨方法＞
ここで、図１１及び図１２は、本考案の墓石における使用方法（つまり、納骨方法）を説明するための使用状態図である。
【００２４】
本考案の墓石において納骨する際には、まず図１１に示す供物台上板４を掴んで、その掴んだ供物台上板４をストッパー６により所定位置で停止するまで引くと、図１２に示すように、台石３にて囲まれる納骨用の収納空間が現れ、ここに遺骨を納める。そして、納骨後に、前述と逆の操作にて供物台上板４を図１１に示す元の位置に戻す（即ち、初期状態に戻す）。
【００２５】
＜本実施形態の効果＞
以上説明したように、本実施形態の墓石は、スライドレール５が、供物台上板４縁部の内側壁面と、納骨用の収納空間を有する台石３の外側壁面とを連結する位置に配設され、墓石本体の前面に対する垂直方向に供物台上板４を摺動可能に構成されている。
【００２６】
したがって、本実施形態の墓石によれば、供物台上板４を持ち上げて他の場所に移動させることなく容易に納骨を行うことができる
また、本実施形態の墓石は、供物台上板４は、スライドレール５を所定位置で止めるためのストッパー６が取り付けられ、そのストッパー６における台石３への接触側部分にゴム板が張り付けられているため、供物台上板４と台石３との衝突を好適に緩和することができる。
【００２７】
さらに、本実施形態の墓石は、スライドレール５がステンレス製であるため、スライドレール５自体が腐食することを好適に抑制することができる（つまり、腐食に強い）。
［他の実施形態］
以上、本考案の実施形態について説明したが、本考案は上記実施形態に限定されるものではなく、本考案の要旨を逸脱しない範囲において、様々な態様にて実施することが可能である。
【００２８】
例えば、上記実施形態のスライドレール５は、外レール１０が台石３の外側壁面に、内レール１４が供物台上板４縁部の内側壁面にそれぞれ固設されているが、これとは逆に、外レール１０が供物台上板４縁部の内側壁面に、内レール１４が台石３の外側壁面にそれぞれ固設されていてもよい。また、スライドレール５は、ステンレス製に限らず、他の素材のものであってもよい。
【００２９】
そして、上記実施形態のストッパー６は、金属塊とゴム板とからなるものであるが、これに限定されずに、例えば金属板や他の弾性素材を用いてもよい。
なお、上記実施形態の台石３は、平面視で概ねコの字型形状を有しているが、これに限定されるものではなく、納骨用の収納空間を有するような他の形状であってもよい。
【００３０】
同様に、上記実施形態の供物台上板４は、平面視で概ね四角型の形状であり、その縁部が底面視で概ねコの字型に突出する形状を有しているが、これに限定されるものではなく、台石の外側壁面と対向する位置に突出する縁部を有する他の形状であってもよい。
【図面の簡単な説明】
【００３１】
【図１】本考案が適用された墓石における要部の構成を示す平面図。
【図２】本考案が適用された墓石における要部の構成を示す正面図。
【図３】本考案が適用された墓石における要部の構成を示す側面図。
【図４】供物台上板４の形状を示す斜視図。
【図５】台石３の形状を示す斜視図。
【図６】スライドレール５の構成を示す正面図。
【図７】スライドレール５の構成を示す側面図。
【図８】図１におけるＡ−Ａ断面図。
【図９】図２におけるＢ−Ｂ断面図。
【図１０】スライドレール５の取付位置を示す断面図。
【図１１】本考案の墓石における使用方法を説明するための第１の使用状態図。
【図１２】本考案の墓石における使用方法を説明するための第２の使用状態図。
【図１３】本考案が適用された墓石における全体の一例を示す斜視図。
【符号の説明】
【００３２】
１・・・芝石、２・・・張り出し部、３・・・台石、４・・・供物台上板、５・・・スライドレール、６・・・ストッパー、１０・・・外レール、１１・・・ボールリテーナ、１２・・・ボールベアリング、１３・・・中レール、１４・・・内レール。
【図１】
0003144184.tif 000003
【図２】
0003144184.tif 000004
【図３】
0003144184.tif 000005
【図４】
0003144184.tif 000006
【図５】
0003144184.tif 000007
【図６】
0003144184.tif 000008
【図７】
0003144184.tif 000009
【図８】
0003144184.tif 000010
【図９】
0003144184.tif 000011
【図１０】
0003144184.tif 000012
【図１１】
0003144184.tif 000013
【図１２】
0003144184.tif 000014
【図１３】
0003144184.tif 000015